(57)【要約】      （修正有）【課題】トレーニング補助器を極端に大きくせず、デザイン性を低下させることもなく、径が異なる複数のシャフト部のいずれをシャフト支持部に挿入した場合でも、シャフト支持部がシャフト部を安定して支持できるようにする。【解決手段】トレーニング用のバーベルのシャフト部２１における端部に取り付けられ、当該端部を支点としてシャフト部２１を回動自在に支持するトレーニング補助器１であって、シャフト支持部１１に挿入されたシャフト部２１は、密着部の内壁部による保持と、シャフト固定部１１３の軸部の端部による押圧とを受ける。これにより、シャフト支持部１１に対する抜き差し方向及び当該方向に直交する方向への動きを抑制する。【選択図】図８
0003219932.tif 000002
【実用新案登録請求の範囲】
【請求項１】
トレーニング用のバーベルのシャフト部における端部に取り付けられ、当該端部を支点として当該シャフト部を回動自在に支持するトレーニング補助器であって、
内部に空洞部を有する円筒状からなり、当該空洞部に前記シャフト部が挿入されるシャフト支持部と、
前記バーベルのプレート部に形成された前記シャフト部挿入用の挿入孔に挿入される挿入部と、当該挿入部の端部に設けられ、前記挿入部が前記挿入孔に挿入されている状態で前記プレート部から突出した状態となり、前記シャフト支持部を回動自在に軸支する軸支部とを有する主径部と、を備え、
前記シャフト支持部は、その本体の周面から前記空洞部に貫通する貫通孔と、当該貫通孔に挿入された状態で前記空洞部側の端部が、前記空洞部に挿入された前記シャフト部の周面に接触可能な長さを有する軸部と、を有するシャフト固定部を備え、
前記シャフト固定部の前記軸部は、前記シャフト支持部の前記本体の周面の厚みよりも長い長さを有し、前記シャフト支持部の前記本体の周面側又は前記空洞部側に移動可能とされ、前記軸部が前記空洞部側に移動したときに、前記軸部の前記空洞部側の端部が、前記空洞部に挿入された前記シャフト部の周面に接触して当該シャフト部を固定し、
前記シャフト支持部の前記空洞部には、その長さ方向において異なる複数の位置に、前記シャフト部が前記空洞部に挿入されたときに前記シャフト部の周面に密着して前記シャフト部を支持する密着部が設けられ、
前記複数の位置に設けられたそれぞれの密着部は、それぞれに異なる内径からなり、当該内径に一致する径を有するシャフト部の周面に密着して当該シャフト部を支持し、
前記シャフト固定部は、前記シャフト支持部における、前記複数の密着部が設けられている前記長さ方向の各位置にそれぞれ設けられているトレーニング補助器。
【請求項２】
前記シャフト固定部の前記軸部の周面には、前記軸部が前記貫通孔に挿入された状態のときに前記貫通孔の内壁部分に形成されたねじ溝に螺合するねじ山が形成され、更に前記軸部には、前記軸部が前記貫通孔に挿入された状態で前記シャフト支持部の周面部の外側に位置する端部に設けられ、前記ねじ溝に前記ねじ山が螺合した状態で前記軸部の周面をその周方向に回転させるために回転操作される回転操作部が設けられ、
前記シャフト固定部の前記軸部が、前記周方向への回転により、前記ねじ溝による案内で、前記シャフト支持部の前記本体の周面側又は前記空洞部側に移動する請求項１に記載のトレーニング補助器。
【請求項３】
前記シャフト支持部の前記空洞部に設けられた前記複数の密着部の前記長さ方向における端部には、前記空洞部内に挿入された状態の前記シャフト部の端部に当接して、前記シャフト部の前記長さ方向における進入移動を規制する規制部が設けられている請求項１又は請求項２に記載のトレーニング補助器。
【請求項４】
前記シャフト支持部の前記空洞部には、前記複数の密着部として、前記密着部が２つ設けられ、
前記シャフト固定部は、前記シャフト支持部における前記２つの密着部が設けられている前記長さ方向の各位置にそれぞれ設けられている請求項１乃至請求項３のいずれかに記載のトレーニング補助器。
【請求項５】
前記主径部の前記軸支部は、前記主径部の長さ方向に直交する方向における両端部に、当該長さ方向において前記挿入部とは反対となる向きに突出する突出部をそれぞれ有し、前記シャフト支持部の端部が当該各突出部の間に位置する状態で、前記直交する方向に連結部材が前記各突出部及び前記シャフト支持部の端部を貫通して連結することで、前記シャフト支持部の端部が前記軸支部に、当該連結部材を軸として回動自在に軸支されている請求項１乃至請求項４のいずれかに記載のトレーニング補助器。
【請求項６】
前記主径部の前記軸支部は、前記直交する方向に前記挿入部の径よりも大きく延びた形状とされて前記挿入部の前記プレート部への進入を規制すると共に前記突出部が取り付けられている基端部を有する請求項５に記載のトレーニング補助器。
【考案の詳細な説明】
【技術分野】
【０００１】
本考案は、トレーニング用のバーベルのシャフト部をその端部を支点として回動自在に支持可能とするトレーニング補助器に関する。
【背景技術】
【０００２】
シャフト部と、当該シャフト部の両端部に取り付けられる重りであるプレート部とからなるバーベルが、人体の筋肉を鍛えるために用いられている。例えば、下記特許文献１に示されるように、このバーベルは、通常、トレーニングを行う者が、プレート部が両端に取り付けられた状態のシャフト部を水平に保ち、当該シャフト部を下方から上方に向けて持ち上げることで、筋力強化トレーニングに用いられる。また、当該バーベルの他の用い方を可能にするために、プレート部を外した状態のシャフト部の端部に取り付けられ、当該端部を支点としてシャフト部を回動自在に支持するトレーニング補助器が提案されている。このトレーニング補助器は、その一部が、床に寝かせて置かれたプレート部のシャフト部挿入用の孔に挿入されて固定され、シャフト部を支持するシャフト支持部分が当該一部に対して回動する構成となっている。トレーニングを行う者が、シャフト支持部分に支持されていない方のシャフト部の端部をつかみ、この端部部分を上げ下げすることで、当該シャフト部を、トレーニング補助器が取り付けられている端部を支点として回動させると、このときのシャフト部の重さが負荷となって、トレーニングを行う者の筋肉を鍛えるエクササイズが実行される。
【先行技術文献】
【特許文献】
【０００３】
【特許文献１】特開２０００−０９３５４９号公報
【考案の概要】
【考案が解決しようとする課題】
【０００４】
しかしながら、上記トレーニング補助器は、シャフト支持部の内径が、シャフト支持部に挿入するシャフト部の径に合わせて形成されているため、径が異なる複数のシャフト部をシャフト支持部に挿入して使用することはできない。シャフト部の径がシャフト支持部の内径よりも大きい場合はシャフト部をシャフト支持部に挿入できず、シャフト部の径がシャフト支持部の内径よりも明らかに小さい場合は、シャフト支持部に挿入したシャフト部とシャフト支持部の内壁との間に隙間が生じるため、トレーニング時の上記回動に耐え得る程度にシャフト部をシャフト支持部が支持することは困難である。また、トレーニング補助器に、内径の大きさが異なる複数のシャフト支持部を設けることは可能であるが、トレーニング補助器が大きくなり、デザインも悪くなる。
【０００５】
本考案は、上記の事情に鑑みなされたものであり、トレーニング補助器を極端に大きくせず、デザイン性を低下させることもなく、径が異なる複数のシャフト部のいずれをシャフト支持部に挿入した場合であっても、シャフト支持部がシャフト部を安定して支持できるようにすることを目的とする。
【課題を解決するための手段】
【０００６】
本考案の一局面に係るトレーニング補助器は、トレーニング用のバーベルのシャフト部における端部に取り付けられ、当該端部を支点として当該シャフト部を回動自在に支持するトレーニング補助器であって、
内部に空洞部を有する円筒状からなり、当該空洞部に前記シャフト部が挿入されるシャフト支持部と、
前記バーベルのプレート部に形成された前記シャフト部挿入用の挿入孔に挿入される挿入部と、当該挿入部の端部に設けられ、前記挿入部が前記挿入孔に挿入されている状態で前記プレート部から突出した状態となり、前記シャフト支持部を回動自在に軸支する軸支部とを有する主径部と、を備え、
前記シャフト支持部は、その本体の周面から前記空洞部に貫通する貫通孔と、当該貫通孔に挿入された状態で前記空洞部側の端部が、前記空洞部に挿入された前記シャフト部の周面に接触可能な長さを有する軸部と、を有するシャフト固定部を備え、
前記シャフト固定部の前記軸部は、前記シャフト支持部の前記本体の周面の厚みよりも長い長さを有し、前記シャフト支持部の前記本体の周面側又は前記空洞部側に移動可能とされ、前記軸部が前記空洞部側に移動したときに、前記軸部の前記空洞部側の端部が、前記空洞部に挿入された前記シャフト部の周面に接触して当該シャフト部を固定し、
前記シャフト支持部の前記空洞部には、その長さ方向において異なる複数の位置に、前記シャフト部が前記空洞部に挿入されたときに前記シャフト部の周面に密着して前記シャフト部を支持する密着部が設けられ、
前記複数の位置に設けられたそれぞれの密着部は、それぞれに異なる内径からなり、当該内径に一致する径を有するシャフト部の周面に密着して当該シャフト部を支持し、
前記シャフト固定部は、前記シャフト支持部における、前記複数の密着部が設けられている前記長さ方向の各位置にそれぞれ設けられているものである。
【考案の効果】
【０００７】
本考案に係るトレーニング補助器によれば、トレーニング補助器を極端に大きくせず、デザイン性を低下させることもなく、径が異なる複数のシャフト部のいずれをシャフト支持部に挿入した場合であっても、シャフト支持部がシャフト部を安定して支持することができる。
【図面の簡単な説明】
【０００８】
【図１】本考案の一実施形態に係るトレーニング補助器を示す斜視図である。
【図２】図１とは異なる姿勢とされたトレーニング補助器を示す斜視図である。
【図３】図１における矢印Ｂ方向から見たトレーニング補助器の側面図であり、トレーニング補助器の内部を示す図である。
【図４】トレーニング補助器と共に用いられるバーベルの一例を示す斜視図である。
【図５】トレーニング補助器の一部であるシャフト支持部の断面図であり、シャフト支持部の内部構造を示す図である。
【図６】シャフト支持部の断面図であり、シャフト部をシャフト支持部の空洞部内に挿入した状態を示す図である。
【図７】シャフト支持部の断面図であり、シャフト部をシャフト支持部の空洞部内に挿入した状態を示す図である。
【図８】シャフト部を支持しているシャフト支持部がプレート部に挿入された状態を示す図である。
【図９】ユーザーがトレーニング補助器を用いてトレーニングをしている様子を示す図である。
【考案を実施するための形態】
【０００９】
以下、本考案の一実施形態に係るトレーニング補助器について図面を参照して説明する。図１は本考案の一実施形態に係るトレーニング補助器を示す斜視図、図２は図１とは異なる姿勢とされたトレーニング補助器を示す斜視図である。図３は、図１における矢印Ｂ方向から見たトレーニング補助器の側面図であり、トレーニング補助器の内部を示す図である。図４は、トレーニング補助器と共に用いられるバーベルの一例を示す斜視図である。図５はトレーニング補助器の一部であるシャフト支持部の断面図であり、シャフト支持部の内部構造を示す図である。
【００１０】
トレーニング補助器１は、トレーニング用のバーベル２のシャフト部２１に取り付けられる。トレーニング補助器１は、重りとなるプレート部２２が取り外された状態のシャフト部２１における端部に取り付けられる。トレーニング補助器１は、シャフト部２１における端部に取り付けられた状態で、当該端部を支点としてシャフト部２１を回動自在に支持する。
【００１１】
トレーニング補助器１は、シャフト支持部１１と、主径部１２とを備える。シャフト支持部１１は、内部に空洞部１１２を有する円筒状からなる。空洞部１１２には、シャフト部２１の端部が挿入される。また、空洞部１１２は、径の大きさが異なる複数のシャフト部２１が挿入可能とされている。このため、空洞部１１２は、挿入される複数のシャフト部２１の径に応じたそれぞれの内径を有している。空洞部１１２は、シャフト支持部１１の長さ方向に延びるが、当該長さ方向において異なる位置における内径が、上記複数のシャフト部２１のうち対応するシャフト部２１の径に応じた大きさに形成されている(詳細は後述)。
【００１２】
主径部１２は、挿入部１２１と、軸支部１２２とを備えている。挿入部１２１は、バーベル２のプレート部２２に形成されたシャフト部２１挿入用の挿入孔２２１(図８)に挿入される。挿入部１２１は挿入孔２２１に対して抜き差し自在となる径を有している。挿入部１２１の径は、挿入孔２２１の内径と同一又は僅かに小さい大きさとされている。挿入部１２１の径と挿入孔２２１の内径とが当該関係にある場合、本実施形態では、挿入部１２１の径が挿入孔２２１の内径に一致しているとする。なお、挿入部１２１の径を、挿入孔２２１の内径よりも僅かに小さい大きさとした場合、挿入部１２１が挿入孔２２１内で挿入孔２２１に対して回転可能となる。
【００１３】
軸支部１２２は、シャフト支持部１１を回動自在に軸支する。軸支部１２２は、挿入部１２１の端部に設けられている。軸支部１２２は、挿入部１２１がプレート部２２の上記挿入孔２２１に挿入されている状態のときにプレート部２２から突出した状態となる。
【００１４】
シャフト支持部１１は、空洞部１１２内に挿入されたシャフト部２１を空洞部１１２内で固定するシャフト固定部１１３を備える。シャフト固定部１１３は、貫通孔１１３１と、軸部１１３２と、回転操作部１１３３とを有する。
【００１５】
貫通孔１１３１は、シャフト支持部１１の本体１１０の周面から空洞部１１２まで貫通している。軸部１１３２は、貫通孔１１３１の長さ（すなわち、シャフト支持部１１の周面部の肉厚）よりも長く形成されている。軸部１１３２は、シャフト固定部１１３がシャフト支持部１１に取り付けられたときに、貫通孔１１３１に挿入されて空洞部１１２内まで軸部１１３２の先端が達する長さとされている。
【００１６】
シャフト固定部１１３の軸部１１３２の周面には、ねじ山が形成されている。当該ねじ山は、軸部１１３２が貫通孔１１３１に挿入されたとき、貫通孔１１３１の内壁部分に形成されたねじ溝に螺合する。すなわち、軸部１１３２を貫通孔１１３１に挿入するときは、軸部１１３２を貫通孔１１３１に、上記ねじ山と上記ねじ溝とを噛み合わせながらねじ込む。
【００１７】
更に、軸部１１３２には、回転操作部１１３３が設けられている。回転操作部１１３３は、軸部１１３２が貫通孔１１３１に挿入された状態のときに、本体１１０の周面部の外側に位置することになる軸部１１３２の端部に、軸部１１３２と供回りするように取り付けられている。回転操作部１１３３は、軸部１１３２の径よりも、その径方向に大きな形状とされている。
【００１８】
回転操作部１１３３が、軸部１１３２の周方向に回転されると、軸部１１３２がその周方向に回転する。このとき、軸部１１３２の上記ねじ山が上記ねじ溝に螺合しているため、軸部１１３２は上記ねじ溝に沿って回転する。このため、軸部１１３２は、その回転方向に応じて、ねじ溝による案内で、本体１１０の周面側方向又は空洞部１１２に向かう方向に移動する。すなわち、回転操作部１１３３は、軸部１１３２の周面をその周方向に回転させるために回転操作される。
【００１９】
上記のように、軸部１１３２は、シャフト支持部１１の周面部の肉厚よりも長く形成されているため、軸部１１３２は、貫通孔１１３１に取り付けられた状態では、上記回転に伴う本体１１０の周面側方向又は空洞部１１２に向かう方向への移動により、空洞部１１２側となる軸部１１３２の端部が、空洞部１１２内に突出し、又は、シャフト支持部１１の周面部の肉厚内に引っ込んだ状態となる。これにより、回転操作部１１３３の回転操作により軸部１１３２がシャフト支持部１１の径方向に移動し、この移動時の軸部１１３２の端部の位置に応じて、軸部１１３２の端部は、空洞部１１２に挿入された状態のシャフト部２１の周面に対する接触又は非接触の状態が切り換わる。
【００２０】
シャフト支持部１１の空洞部１１２には、空洞部１１２の長さ方向において異なる複数の位置に、それぞれ密着部１１２１が形成されている。すなわち、空洞部１１２の内壁部が上記複数の密着部１１２１として形成されている。密着部１１２１は、シャフト部２１が空洞部１１２に挿入されたときにシャフト部２１の周面に密着し、シャフト部２１を包み込んで支持する。
【００２１】
空洞部１１２に形成されたそれぞれの密着部１１２１は、それぞれ異なる内径からなる。各密着部１１２１はそれぞれ、その内径に一致する径を有するシャフト部２１の周面に密着する。すなわち、各密着部１１２１はそれぞれ、対応する径の大きさを有するシャフト部２１の周面に密着して当該シャフト部２１を支持する。
【００２２】
シャフト固定部１１３は、シャフト支持部１１において、複数の密着部１１２１が設けられている空洞部１１２の長さ方向の各位置に、それぞれ設けられている。
【００２３】
また、空洞部１１２の長さ方向における上記密着部１１２１の端部は、空洞部１１２内に挿入された状態のシャフト部２１の当該長さ方向における進入移動を規制する規制部１１２１Ｃとして形成されている。規制部１１２１Ｃは、空洞部１１２内に挿入された状態のシャフト部２１の端部に当接して、当該シャフト部２１が上記長さ方向において空洞部１１２の奥側(開口部１１Ａの反対側)に向けて進入する動作を止める。
【００２４】
本実施形態では、シャフト支持部１１の空洞部１１２に、上記複数の密着部１１２１として、密着部１１２１が２つ設けられている形態を示している。シャフト固定部１１３は、シャフト支持部１１における当該２つの密着部１１２１が設けられている上記長さ方向の各位置にそれぞれ設けられている。
【００２５】
また、主径部１２には、挿入部１２１の端部に基端部１２２１Ａが、軸支部１２２の一部として設けられている。基端部１２２１Ａは、挿入部１２１が延びる長さ方向に直交する方向に、挿入部１２１の径よりも大きい形状で設けられている。基端部１２２１Ａは、挿入部１２１がプレート部２２の挿入孔に挿入されたときに、プレート部２２と緩衝して、挿入部１２１のプレート部２２への進入を基端部１２２１Ａの位置で止める。
【００２６】
更に、基端部１２２１Ａには、突出部１２２１Ｂが取り付けられている。突出部１２２１Ｂは、基端部１２２１Ａにおいて上記直交する方向における両端部に、上記長さ方向において挿入部１２１側とは反対となる向きに突出させて形成されている。シャフト支持部１１の端部が当該各突出部１２２１Ｂの間に位置する状態で、例えばボルト及びナットからなる連結部材１２２１ＣのロッドＲ(図３)部分が上記直交する方向に各突出部１２２１Ｂ及びシャフト支持部１１の端部を貫通している。
【００２７】
連結部材１２２１Ｃは、各突出部１２２１Ｂ及びシャフト支持部１１の端部を貫通している部分が例えば細長い円柱状のロッドＲからなる。各突出部１２２１Ｂには、連結部材１２２１Ｃを貫通させるための連結孔が設けられている。シャフト支持部１１にも、連結部材１２２１Ｃを貫通させるための連結孔１１１(図５)が設けられている。これら連結孔１１１は、連結部材１２２１ＣのロッドＲ部分の外径よりも僅かに大きな径を有する。
【００２８】
連結部材１２２１Ｃは、そのロッドＲ部分が各突出部１２２１Ｂ及びシャフト支持部１１の端部に設けられた連結孔を貫通し、突出部１２２１Ｂの外面において、連結部材１２２１Ｃがそのナットにより締結されている。これにより、連結部材１２２１Ｃが各突出部１２２１Ｂ及びシャフト支持部１１を連結している。このように、各連結孔に連結部材１２２１Ｃを貫通させることで、各突出部１２２１Ｂ及びシャフト支持部１１が連結されると共に、連結部材１２２１Ｃを回動軸として連結部材１２２１Ｃ周りにシャフト支持部１１が回動自在に保持される。すなわち、シャフト支持部１１の端部は、当該連結部材１２２１Ｃを軸として回動自在に軸支部１２２に軸支されている。
【００２９】
次に、シャフト支持部１１の内部構造を、上記図５を参照して説明する。なお、図５では、シャフト固定部１１３をシャフト支持部１１から外した状態を示し、連結部材１２２１Ｃは図示していない。
【００３０】
図５に示すように、本実施形態では、シャフト支持部１１の空洞部１１２において、その長さ方向において異なる２つの位置に密着部１１２１がそれぞれ設けられている。
【００３１】
シャフト部２１は、シャフト支持部１１の開口部１１Ａから空洞部１１２内に挿入される。空洞部１１２の内壁部には、空洞部１１２の長さ方向において開口部１１Ａ側となる位置に、予め定められた径からなるシャフト部２１を受け入れて支持する密着部１１２１が形成されている。当該シャフト部２１をシャフト部２１Ａとし、当該密着部１１２１を密着部１１２１Ａとする。密着部１１２１Ａの内径は、シャフト部２１Ａの径と同一又は僅かに大きく形成されている。密着部１１２１Ａの内径と、シャフト部２１Ａの径とが当該関係にある場合、本実施形態では、密着部１１２１Ａの内径がシャフト部２１Ａの径に一致しているとする。
【００３２】
更に、空洞部１１２の内壁部であって、空洞部１１２の長さ方向において密着部１１２１Ａの形成位置よりも奥側（開口部１１Ａ側とは反対側となる位置）に、シャフト部２１Ａの径よりも小さい予め定められた径からなるシャフト部２１を受け入れて支持する密着部１１２１が形成されている。当該シャフト部２１をシャフト部２１Ｂとし、当該密着部１１２１を密着部１１２１Ｂとする。密着部１１２１Ｂの内径は、シャフト部２１Ｂの径と同一又は僅かに大きく形成されている。ここで、密着部１１２１Ｂの内径は、シャフト部２１Ａの径よりも小さく形成されている。密着部１１２１Ｂの内径と、シャフト部２１Ｂの径とが当該関係にある場合、本実施形態では、密着部１１２１Ｂの内径がシャフト部２１Ｂの径に一致しているとする。
【００３３】
図５に示すように、密着部１１２１Ａと密着部１１２１Ｂの境目となる段差が規制部１１２１Ｃとなる。この規制部１１２１Ｃにより、シャフト支持部１１の開口部１１Ａから空洞部１１２内にシャフト部２１Ａを挿入すると、空洞部１１２の長さ方向におけるシャフト部２１Ａの端部が規制部１１２１Ｃに接触して、シャフト部２１Ａによる更に空洞部１１２内に進入する方向への移動が止められる。
【００３４】
一方、シャフト支持部１１の開口部１１Ａから空洞部１１２内にシャフト部２１Ｂを挿入した場合、シャフト部２１Ｂの径は、空洞部１１２の長さ方向における段差である規制部１１２１Ｃよりも奥側の密着部１１２１Ｂの内径よりも僅かに小さく設定されているため、シャフト部２１Ｂは、密着部１１２１Ａを通過して、密着部１１２１Ｂに進入することが可能である。シャフト部２１Ｂは、その端部が上記長さ方向において本体１１０の連結孔１１１の位置で連結部材１２２１Ｃに突き当たるまで、密着部１１２１Ｂに進入可能である。
【００３５】
シャフト部２１Ａへのトレーニング補助器１の取付を説明する。図６は、シャフト支持部１１の断面図であり、シャフト部２１Ａをシャフト支持部１１の空洞部１１２内に挿入した状態を示す図である。シャフト部２１Ａを用いてトレーニング補助器１を使用するとき、ユーザーは、シャフト支持部１１の開口部１１Ａから空洞部１１２内にシャフト部２１Ａを挿入する。このとき、ユーザーは、シャフト部２１Ａを、その端部が規制部１１２１Ｃに接触する位置まで、シャフト支持部１１の空洞部１１２内に挿入する。このとき、シャフト部２１Ａの径は、密着部１１２１Ａの内径よりも僅かに小さく設定されているため、密着部１１２１Ａの内壁部が、シャフト部２１Ａの周面を包み込んで保持する。シャフト部２１Ａの周面は、密着部１１２１Ａの内壁にほぼ密着する。本実施形態では、このようにシャフト部２１Ａの周面が密着部１１２１Ａの内壁にほぼ密着する状態であれば、シャフト部２１Ａの周面が密着部１１２１Ａの内壁に「密着」している状態であるとする。
【００３６】
この状態で、ユーザーは、シャフト支持部１１に取り付けられているシャフト固定部１１３のうち、密着部１１２１Ａの位置に取り付けられているシャフト固定部１１３（以下、シャフト固定部１１３Ａという）の回転操作部１１３３を回転させ、シャフト固定部１１３Ａの軸部１１３２を、シャフト支持部１１の径方向において空洞部１１２側に進入させる。ユーザーは、シャフト固定部１１３Ａの軸部１１３２の端部Ｅが、密着部１１２１Ａ内にあるシャフト部２１Ａの周面に接触し、当該端部Ｅがシャフト部２１Ａの周面を押圧する状態になるまで、シャフト固定部１１３Ａの回転操作部１１３３を回転させる。
【００３７】
これより、シャフト支持部１１に挿入されたシャフト部２１Ａは、密着部１１２１Ａの内壁部による保持と、シャフト固定部１１３Ａの軸部１１３２の端部Ｅによる押圧とにより、シャフト支持部１１に対する抜き差し方向及び当該方向に直交する方向への動きが抑制されるため、シャフト支持部１１により把持されて安定して支持される。すなわち、シャフト固定部１１３Ａの軸部１１３２が空洞部１１２側に移動したときに、当該軸部１１３２の空洞部１１２側の端部が、空洞部１１２に挿入されたシャフト部２１Ａの周面に接触して当該シャフト部２１Ａを固定する。
【００３８】
続いて、シャフト部２１Ｂへのトレーニング補助器１の取付を説明する。シャフト部２１Ｂを用いてトレーニング補助器１を使用するとき、ユーザーは、シャフト支持部１１の開口部１１Ａから空洞部１１２内にシャフト部２１Ｂを挿入する。図７は、シャフト支持部１１の断面図であり、シャフト部２１Ｂをシャフト支持部１１の空洞部１１２内に挿入した状態を示す図である。
【００３９】
このとき、シャフト部２１Ｂは、密着部１１２１Ａを通過して、シャフト部２１Ｂの端部が規制部１１２１Ｃよりも奥側の密着部１１２１Ｂに進入する。ユーザーは、シャフト部２１Ｂの端部が、密着部１１２１Ｂ内に取り付けられている連結部材１２２１Ｃに接触する位置まで、シャフト部２１Ｂをシャフト支持部１１の空洞部１１２内に挿入する。このとき、シャフト部２１Ｂの径は、密着部１１２１Ｂの内径よりも僅かに小さく設定されているため、密着部１１２１Ｂの内壁部が、シャフト部２１Ｂの周面を包み込んで保持する。シャフト部２１Ｂの周面は、密着部１１２１Ｂの内壁にほぼ密着する。本実施形態では、このようにシャフト部２１Ｂの周面が密着部１１２１Ｂの内壁にほぼ密着する状態であれば、シャフト部２１Ｂの周面が密着部１１２１Ｂの内壁に「密着」している状態であるとする。
【００４０】
この状態で、ユーザーは、シャフト支持部１１に取り付けられているシャフト固定部１１３のうち、密着部１１２１Ｂの位置に取り付けられているシャフト固定部１１３（以下、シャフト固定部１１３Ｂという）の回転操作部１１３３を回転させ、シャフト固定部１１３Ｂの軸部１１３２を、シャフト支持部１１の径方向において空洞部１１２側に進入させる。ユーザーは、シャフト固定部１１３Ｂの軸部１１３２の端部Ｅが、密着部１１２１Ｂ内にあるシャフト部２１Ｂの周面に接触し、当該端部Ｅがシャフト部２１Ｂの周面を押圧する状態になるまで、シャフト固定部１１３Ｂの回転操作部１１３３を回転させる。
【００４１】
これより、シャフト支持部１１に挿入されたシャフト部２１Ｂは、密着部１１２１Ｂの内壁部による保持と、シャフト固定部１１３Ｂの軸部１１３２の端部Ｅによる押圧とにより、シャフト支持部１１に対する抜き差し方向及び当該方向に直交する方向への動きが抑制されるため、シャフト支持部１１により把持されて安定して支持される。すなわち、シャフト固定部１１３Ｂの軸部１１３２が空洞部１１２側に移動したときに、当該軸部１１３２の空洞部１１２側の端部が、空洞部１１２に挿入されたシャフト部２１Ｂの周面に接触して当該シャフト部２１Ｂを固定する。
【００４２】
なお、シャフト支持部１１へのシャフト部２１Ｂの取付については、このようにシャフト固定部１１３Ｂの軸部１１３２の端部Ｅによる押圧のみにより指示を安定させてもよいが、シャフト固定部１１３Ａの軸部１１３２の端部Ｅによる押圧を更に加えることが可能に構成してもよい。この場合、シャフト固定部１１３Ａをその軸部１１３２を貫通孔１１３１に挿入してシャフト支持部１１に取り付けた状態のときに、シャフト固定部１１３Ａの軸部１１３２の長さは、端部Ｅが密着部１１２１Ｂ内にあるシャフト部２１Ｂの周面に接触してシャフト部２１Ｂの周面を押圧するに足りる長さ(例えば、図７に示す長さＬ)とされる。これによれば、シャフト支持部１１によるシャフト部２１Ｂの指示を更に安定させることができる。
【００４３】
次に、プレート部２２へのトレーニング補助器１の取付を説明する。図８は、シャフト部２１を支持しているシャフト支持部１１がプレート部２２に挿入された状態を示す図である。上記のようにしてシャフト部２１Ａ又はシャフト部２１Ｂ(以下、単にシャフト部２１という)が挿入されて、シャフト部２１を支持している状態のシャフト支持部１１は、図８に示すように、主径部１２の挿入部１２１がプレート部２２の挿入孔２２１に挿入されて、トレーニングに用いられる。
【００４４】
なお、シャフト支持部１１へのシャフト部２１の取付は、(i)シャフト支持部１１の主径部１２の挿入部１２１をプレート部２２の挿入孔２２１に挿入する前に行ってもよいし、(ii) シャフト支持部１１の主径部１２の挿入部１２１をプレート部２２の挿入孔に挿入した後に行ってもよい。
【００４５】
本実施形態では、主径部１２の挿入部１２１の長さは、２枚のプレート部２２を横置きにして重ねた状態でこれら２枚のプレート部２２の２つの挿入孔２２１を貫通する長さに形成されている。但し、主径部１２の挿入部１２１の長さは、１枚のプレート部２２を横置きにしたときの挿入孔２２１を貫通する長さに形成されてもよい。主径部１２の挿入部１２１の長さを、２枚のプレート部２２分の２つの挿入孔２２１の長さに形成した場合は、トレーニング補助器１をプレート部２２により支持する安定性が向上する。
【００４６】
上記のようにしてシャフト部２１を支持しているシャフト支持部１１がプレート部２２に挿入され、プレート部２２によりトレーニング補助器が支持されている状態では、シャフト支持部１１は、軸支部１２２により、主径部１２に対して連結部材１２２１Ｃを軸として回動自在であるため、シャフト部２１は、シャフト部２１の端部を支点として図８に示す矢印Ａ方向に回動可能となる。プレート部２２は、トレーニング用の重りとして十分な重さを有するため、プレート部２２の挿入孔２２１への主径部１２の挿入部１２１の挿入により、トレーニング補助器１はプレート部２２により安定して固定されることが可能である。
【００４７】
従って、上記実施形態に係るトレーニング補助器１によれば、径が異なる複数のシャフト部２１のいずれをシャフト支持部１１に挿入した場合であっても、シャフト支持部１１がシャフト部２１を安定して支持することができるが、１つのシャフト支持部１１によって異なる径からなるそれぞれのシャフト部２１を支持できるため、トレーニング補助器１は極端に大きくならす、デザイン性も低下しない。
【００４８】
例えば、トレーニング補助器１の挿入部１２１の径は、密着部１１２１Ａ又は密着部１１２１Ｂの内径のいずれかに一致するものとされている。これにより、ユーザーは、挿入部１２１の径に一致する径の挿入孔２２１を有するバーベル２（先に用いていたバーベル２）を有していれば、当該バーベル２が有するシャフト部２１を密着部１１２１Ａ又は密着部１１２１Ｂのいずれかに挿入して密着させ、当該バーベル２が有するプレート部２２（先に用いていたバーベル２が有するプレート部２２）の挿入孔２２１に挿入部１２１を挿入して、当該トレーニング補助器１を用いることが可能である。この場合、当該ユーザーが、当該シャフト部２１とは異なる径であって、密着部１１２１Ａ又は密着部１１２１Ｂの内径のいずれかに一致する径からなる別のシャフト部２１を有する新たなバーベル２を更に購入したときには、当該別のシャフト部２１を当該トレーニング補助器１のシャフト支持部１１に挿入して、当該トレーニング補助器１を用いることが可能である。なお、当該トレーニング補助器１は、その挿入部１２１を、新たなバーベル２のプレート部２２ではなく、先に用いていたバーベル２が有するプレート部２２の挿入孔２２１に挿入することで用いられる。
【００４９】
次に、トレーニング補助器１によるトレーニング方法を説明する。図９は、ユーザーがトレーニング補助器１を用いてトレーニングをしている様子を示す図である。
【００５０】
トレーニング補助器１を用いてトレーニングをする場合、ユーザーは、上記のようにして、シャフト部２１にトレーニング補助器１を取り付け、その挿入部１２１を、床上に重ねて横置きされた２枚のプレート部２２の挿入孔に挿入し、図８に例を示すような状態とする。
【００５１】
そして、ユーザーは、図９に例を示すように、このような状態となっているトレーニング補助器１に取り付けられているシャフト部２１の端部であって、シャフト支持部１１に挿入されていない方の端部を掴む。ユーザーは、このようにシャフト部２１の当該端部を掴んだ状態で、例えば、シャフト部２１の当該端部を下方から上方に持ち上げる、或いは、上方から下方に下げるという動作を行うことにより、連結部材１２２１Ｃを回動軸として連結部材１２２１Ｃ周りにシャフト支持部１１を上下方向に回動させる。ユーザーがこのようにシャフト部２１を回動させる動作をすることにより、この回動時のシャフト部２１の重さが負荷となって、ユーザーの筋肉が鍛えられる。
【００５２】
また、挿入部１２１の径を、挿入孔２２１の内径よりも僅かに小さい大きさとしている場合は、挿入部１２１が挿入孔２２１内で挿入孔２２１に対して回転可能となるので、ユーザーは、シャフト部２１の上記端部を掴んだ状態で、例えば、シャフト部２１の当該端部を左右方向に移動させることで、挿入部１２１をその径方向中心部を回転軸として回旋させることができる。このようにシャフト部２１を回旋させる動作によっても、ユーザーは、この回旋時のシャフト部２１の重さを負荷として筋肉を鍛えることができる。
【００５３】
なお、本考案は上記実施の形態の構成に限られず種々の変形が可能である。また、上記実施形態において、図１乃至図９を用いて示した構成は、本考案の一実施形態に過ぎず、本考案を当該構成に限定する趣旨ではない。
【００５４】
例えば、シャフト固定部１１３は、その軸部１１３２にねじ山が設けられ、貫通孔１１３１にねじ溝が設けられる構成とされているが、軸部１１３２がシャフト支持部１１の本体１１０の周面側又は空洞部１１２側に移動する構造は、このようなねじ構造に限定されず、他の構造により軸部１１３２が当該移動を行うものとしてもよい。
【符号の説明】
【００５５】
１          トレーニング補助器
１１        シャフト支持部
１１Ａ      開口部
１１０      本体
１１１      連結孔
１１２      空洞部
１１２１，１１２１Ａ，１１２１Ｂ  密着部
１１２１Ｃ  規制部
１１３，１１３Ａ，１１３Ｂ  シャフト固定部
１１３１    貫通孔
１１３２    軸部
１１３３    回転操作部
Ｅ          端部
１２        主径部
１２１      挿入部
１２２      軸支部
１２２１Ａ  基端部
１２２１Ｂ  突出部
１２２１Ｃ  連結部材
２          バーベル
２１，２１Ａ，２１Ｂ  シャフト部
２２        プレート部
２２１      挿入孔
【図１】
0003219932.tif 000003
【図２】
0003219932.tif 000004
【図３】
0003219932.tif 000005
【図４】
0003219932.tif 000006
【図５】
0003219932.tif 000007
【図６】
0003219932.tif 000008
【図７】
0003219932.tif 000009
【図８】
0003219932.tif 000010
【図９】
0003219932.tif 000011